(57)【要約】【課題】画像形成装置において、複数の用紙が裁断される際に裁断位置が複数の用紙間でばらついた場合でも、裁断された印刷物の見栄えの低下を抑制させる。【解決手段】印刷出力部１５は、第１の印刷画像を用紙に印刷すると共に、用紙の切取り位置を示す切取りマークを含む第２の印刷画像を用紙に印刷する。印刷制御部１６は、複数枚の第１の印刷画像の印刷に対して１枚の第２の印刷画像を印刷するように印刷出力部１５を制御する。複数の用紙への第１の印刷画像の印刷後、その上に第２の印刷画像を印刷した用紙を載せて裁断することにより、裁断位置が用紙間でばらついた場合であっても、印刷物の見栄えの低下を抑制することができる。【選択図】図１
2012020484.tif 000002
【特許請求の範囲】
【請求項１】
第１の印刷画像と、用紙の切取り位置を示す切取りマークを含む第２の印刷画像とを用紙に印刷する印刷出力部と、
複数枚の第１の印刷画像の印刷に対して１枚の第２の印刷画像を印刷するように前記印刷出力部を制御する印刷制御部とを備えることを特徴とする画像形成装置。
【請求項２】
裁断枚数を設定する裁断枚数設定部を更に備え、
前記印刷制御部が、第１印刷画像を前記裁断枚数設定部が設定した裁断枚数分の用紙に印刷させるたびに、前記印刷出力部に前記第２の印刷画像を印刷させるものであることを特徴とする請求項１に記載の画像形成装置。
【請求項３】
前記印刷出力部が、前記第１の印刷画像と前記第２の印刷画像とを、用紙の同じ側の面に印刷するものであることを特徴とする請求項１又は２に記載の画像形成装置。
【請求項４】
前記印刷出力部が、用紙の前記第１の印刷画像を印刷する面とは異なる側の面に前記第２の印刷画像を印刷するものであることを特徴とする請求項１又は２に記載の画像形成装置。
【請求項５】
前記印刷制御部が、排紙台に排出される用紙の上側の面に前記切取りマークが印刷されるように前記印刷出力部を制御するものであることを特徴とする請求項１から４何れかに記載の画像形成装置。
【請求項６】
前記印刷出力部が、前記第１の印刷画像を印刷するための第１印刷部と、前記切取りマークを印刷するための第２印刷部とを含み、前記第１の印刷画像の印刷時は前記第１及び第２の印刷部のうちの第１印刷部のみを用いて印刷を行い、前記第２の印刷画像の印刷時は前記第１及び第２印刷部のうちの少なくとも第２印刷部を用いて印刷を行うものであることを特徴とする請求項１から５何れかに記載の画像形成装置。
【発明の詳細な説明】
【技術分野】
【０００１】
本発明は、画像形成装置に関し、更に詳しくは画像を用紙に印刷する画像形成装置に関する。
【背景技術】
【０００２】
画像形成装置（印刷装置）において、本来得たい印刷物のサイズとは異なるサイズの印刷用紙に印刷を行うことがある。例えば、給紙トレイに、必要な用紙よりも大きなサイズの印刷用紙しか存在しないときに、その大きなサイズの印刷用紙に印刷を行うことがある。また、印刷コストの節約を目的として、例えばＡ４サイズの印刷物が１００枚欲しいときに、５０枚のＡ３の用紙にＡ４サイズ２枚分のデータを印刷し、印刷後にＡ３の用紙をＡ４サイズに分割（裁断）してＡ４サイズの１００枚の印刷物を得るということも行われる。
【０００３】
本来得たい印刷物のサイズとは異なるサイズの印刷用紙に印刷を行う場合、得たい用紙サイズの印刷物が得られるようにするために、用紙には、印刷データと共に切取り線などの切取り位置を示すマークが印刷されることがある。例えば特許文献１には、切取り線の印刷を行う画像形成装置が記載されている。引用文献１では、画像形成装置（プリンタ）はホスト装置からプリントデータを受信すると、給紙トレイにセットされている用紙のサイズと、プリントデータで指示された用紙サイズとを比較する。プリンタは、給紙トレイの用紙のサイズがプリンタデータで指示された用紙のサイズよりも大きいときは、給紙トレイの用紙にプリントデータを印刷すると共に、用紙をプリントデータで指定された用紙のサイズに加工するための切取り線を印刷する。
【先行技術文献】
【特許文献】
【０００４】
【特許文献１】特開２００２−１６９４２３号公報
【発明の概要】
【発明が解決しようとする課題】
【０００５】
ここで、特許文献１では、例えば印刷枚数が１００枚あったとき、１００枚全ての用紙に切取り線が印刷される。１００枚の用紙を裁断機などを用いて裁断するとき、ユーザは最上位の用紙に印刷された切取り線の位置に裁断位置を合わせ、その裁断位置で１００枚の用紙を裁断する。しかしながら、１００枚全ての用紙を正確に同一の裁断位置で裁断することは実際には困難であり、用紙揃えの精度や裁断機の性能に応じて、用紙間で裁断位置のばらつきが生じる。例えば重ねられた１００枚の用紙のうち、上の方に存在する用紙以外の用紙では裁断位置が切取り線の位置から次第にずれ、裁断された用紙に切取り線が残って印刷物の見栄えが落ちるという問題が生じる。
【０００６】
本発明は、上記に鑑み、複数の用紙への印刷データの印刷後、複数の用紙が裁断される際に、裁断位置が複数の用紙間でばらついた場合であっても裁断された印刷物の見栄えの低下を抑制できる画像形成装置を提供することを目的とする。
【課題を解決するための手段】
【０００７】
上記目的を達成するために、本発明は、第１の印刷画像と、用紙の切取り位置を示す切取りマークを含む第２の印刷画像とを用紙に印刷する印刷出力部と、複数枚の第１の印刷画像の印刷に対して１枚の第２の印刷画像を印刷するように前記印刷出力部を制御する印刷制御部とを備えることを特徴とする画像形成装置を提供する。
【０００８】
本発明の画像形成装置は、裁断枚数を設定する裁断枚数設定部を更に備え、前記印刷制御部が、第１印刷画像を前記裁断枚数設定部が設定した裁断枚数分の用紙に印刷させるたびに、前記印刷出力部に前記第２の印刷画像を印刷させる構成を採用できる。
【０００９】
前記印刷出力部は、前記第１の印刷画像と第２の印刷画像とを、用紙の同じ側の面に印刷してもよい。あるいはこれに代えて、前記印刷出力部は、用紙の前記第１の印刷画像を印刷する面とは異なる側の面に前記第２の印刷画像を印刷してもよい。
【００１０】
前記印刷制御部は、排紙台に排出される用紙の上側の面に前記切取りマークが印刷されるように前記印刷出力部を制御してもよい。
【００１１】
前記印刷出力部は、前記第１の印刷画像を印刷するための第１印刷部と、前記切取りマークを印刷するための第２印刷部とを含み、前記第１の印刷画像の印刷時は前記第１及び第２の印刷部のうちの第１印刷部のみを用いて印刷を行い、前記第２の印刷画像の印刷時は前記第１及び第２印刷部のうちの少なくとも第２印刷部を用いて印刷を行う構成とすることができる。
【発明の効果】
【００１２】
本発明の画像形成装置では、複数枚の第１の印刷画像に対して、切取りマークを含む第２の印刷画像を用紙に１枚印刷する。従って、その複数枚の第１の印刷画像が印刷された用紙の上に、切取りマークを含む第２の印刷画像が印刷された１枚の用紙を載せ、その切取りマークに合わせて複数枚の用紙を一緒に裁断すれば切取りマークからずれた見栄えの悪い印刷物ができることがない。すなわち、本発明では、複数の用紙への印刷データの印刷後、複数の用紙がまとめて裁断される際に、裁断位置が用紙間でばらついた場合であっても、印刷物の見栄えの低下を抑制することができる。
【図面の簡単な説明】
【００１３】
【図１】本発明の一実施形態の画像形成装置を示すブロック図。
【図２】画像形成装置の動作手順を示すフローチャート。
【図３】元原稿画像の具体例を示す図。
【図４】（ａ）及び（ｂ）はそれぞれ第１及び第２の印刷画像の具体例を示す図。
【図５】印刷出力部の具体的構成を示すブロック図。
【図６】印刷された用紙の並び順を示す図。
【図７】両面印刷の場合の印刷出力部の構成例を示すブロック図。
【図８】印刷ドラムが１つの場合の印刷出力部の構成例を示すブロック図。
【発明を実施するための形態】
【００１４】
以下、図面を参照し、本発明の実施の形態を詳細に説明する。図１は、本発明の一実施形態の画像形成装置を示す。画像形成装置１０は、データ入力部１１、切取りマーク設定部１２、印刷枚数設定部１３、裁断枚数設定部１４、印刷出力部１５、印刷制御部１６、及び印刷設定部１７を有する。データ入力部１１は、印刷データを入力する。印刷データは、あるサイズの用紙に印刷することを想定した印刷データである。ここで、印刷データで指定される用紙サイズを元原稿用紙サイズと呼ぶこととする。また、印刷データの内容で示される印刷画像を元原稿画像と呼ぶこととする。
【００１５】
印刷出力部１５は、印刷データに基づく印刷画像を印刷する。印刷出力部１５は、用紙の片面に印刷画像を印刷するものとする。印刷出力部１５は、例えば排紙台上に印刷された用紙を排出する際に、印刷面が上向きとなるように用紙を排出する（フェースアップ）。印刷出力部１５が印刷を行う用紙のサイズを出力用紙サイズと呼ぶこととする。出力用紙サイズは、元原稿用紙サイズよりも大きい。例えば出力用紙サイズは、元原稿用紙サイズの縦横それぞれ２倍のサイズとすることができる。なお、印刷データの内容を所定の倍率で縮小して印刷するような場合、出力用紙サイズは、元原稿用紙サイズを所定の倍率で縮小した用紙サイズよりも大きければよい。
【００１６】
印刷出力部１５は、第１の印刷画像を用紙に印刷する。第１の印刷画像とは、印刷後に用紙が所望のサイズに切断されることが想定される画像である。例えば印刷用紙サイズが元原稿用紙サイズの２倍であるとき、印刷出力部１５は元原稿画像を２つ並べた画像を第１の印刷画像として用紙に印刷する。また印刷出力部１５は、第１の印刷画像の印刷に加えて、用紙を裁断する際に目印として用いられる切取りマークを含む第２の印刷画像を用紙に印刷する。この第２の印刷画像は切取りマークのみを有するものであってもよい。
【００１７】
印刷制御部１６は、印刷出力部１５が行う印刷を制御する。印刷制御部１６は、複数枚の第１の印刷画像の印刷に対して１枚の第２の印刷画像を印刷するように印刷出力部１５を制御する。第２の印刷画像が、第１の印刷画像の内容にマークを追加したものである場合、印刷制御部１６は、第２の印刷画像に含まれる第１の印刷画像を含めて、複数枚の第１の印刷画像に対して第２の印刷画像を１枚印刷させればよい。具体的には、切取りマークを含まない第１の印刷画像１枚に対して、第１の印刷画像に切取りマークを付加した画像（第２の印刷画像）を１枚印刷させてもよい。第２の印刷画像が切取りマークのみを有するものである場合は、複数枚の第１の印刷画像の印刷に対して第２の印刷画像を１枚印刷するように印刷出力部１５を制御する。
【００１８】
切取りマーク設定部１２は、印刷用紙に印刷すべき切取りマークの位置や形状などを設定する。切取りマークには、切取り線を用いることができる。ただし、切取りマークは、用紙を裁断する際に目印になるものであればよく、切取り線には限定されない。例えば用紙の両端に印刷される三角形の図形を切取りマークとしてもよい。切取り線の位置は、第１の印刷画像において、印刷用紙のどの位置に、どのような配置で元原稿画像を配置するかに応じて決まる。
【００１９】
印刷枚数設定部１３は、第１の印刷画像を含む画像の印刷枚数（印刷部数）を設定する。裁断枚数設定部１４は、切取り線を含む第２の印刷画像の印刷の頻度を決める値となる裁断枚数を設定する。裁断枚数は、例えば切取り線を含まない第１の印刷画像の印刷ない枚に対して、切取り線を含む第２の印刷画像を１枚印刷するかを指定する。印刷制御部１６は、印刷出力部１５が第１の印刷画像を裁断枚数分の用紙に印刷するたびに、印刷出力部１５に第２の印刷画像を用紙に１枚印刷させる。
【００２０】
印刷制御部１６は、印刷カウンタ１８及び裁断カウンタ１９を含む。印刷制御部１６は、印刷出力部１５に第１の印刷画像を印刷させ、印刷カウンタ１８及び裁断カウンタ１９をカウントアップする。印刷制御部１６は、裁断カウンタ１９の値が裁断枚数設定部１４が設定した裁断枚数になると、印刷出力部１５に切取り線を含む第２の印刷画像を印刷させる。印刷制御部１６は、第２の印刷画像の印刷後、裁断カウンタ１９をリセットし、印刷出力部１５に第１の印刷画像を印刷させる。印刷制御部１６は、このような動作を印刷カウンタ１８の値が印刷枚数設定部１３が設定した印刷枚数となるまで繰り返し行う。
【００２１】
印刷設定部１７は、切取りマーク印刷の可否を設定する。印刷制御部１６は、印刷設定部１７が切取りマーク印刷を行う旨（設定ＯＮ）を設定すると、複数枚の第１の印刷画像の印刷に対して１枚の第２の印刷画像を用紙に印刷させる。一方、印刷設定部１７が切取りマーク印刷を行わない旨（設定ＯＦＦ）を設定した場合、印刷制御部１６は、第２の印刷画像の印刷を抑止する。つまり、印刷出力部１５に第１の印刷画像のみを印刷させ、第２の印刷画像は印刷させない。あるいはこれに代えて、設定ＯＦＦのときに、全ての用紙に切取り線を付加した印刷画像を印刷させてもよい。
【００２２】
図２は、画像形成装置の動作手順を示している。印刷設定部１７は切取りマーク印刷を行う旨を設定しているとする。データ入力部１１は、印刷データを入力する（ステップＳ１）。データ入力部１１は、例えばホストとなるＰＣ（Personal Computer）から印刷データを入力する。あるいはデータ入力部１１は、図示しないスキャナ装置で読み取った画像を印刷データとして入力してもよい。
【００２３】
印刷枚数設定部１３は、印刷制御部１６に印刷枚数を通知する（ステップＳ２）。裁断枚数設定部１４は、印刷制御部１６に裁断枚数を通知する（ステップＳ３）。切取りマーク設定部１２は、印刷出力部１５に対して切取り線の位置などを設定する。切取りマーク設定部１２は、例えば出力用紙サイズと印刷データで指定される元原稿用紙サイズとから切取り線の位置や形状などを自動的に設定してもよい。また、印刷枚数や裁断枚数、切取り線の位置などは、印刷データと共にＰＣなどから入力してもよい。
【００２４】
印刷制御部１６は、印刷カウンタ１８及び裁断カウンタ１９を０に初期化する（ステップＳ４）。印刷制御部１６は、印刷カウンタ１８の値が設定された印刷枚数に到達したか否かを判断する（ステップＳ５）。印刷制御部１６は、カウント値が印刷枚数に達していないと判断すると、印刷出力部１５に第１の印刷画像の印刷を指示する。印刷出力部１５は、第１の印刷画像を用紙に印刷する（ステップＳ６）。その後、印刷制御部１６は、印刷カウンタ１８と裁断カウンタ１９とをそれぞれカウントアップする（ステップＳ７）。
【００２５】
印刷制御部１６は、裁断カウンタ１９の値が裁断枚数に達したか否かを判断する（ステップＳ８）。印刷制御部１６は、カウント値が裁断枚数に達していないと判断するとステップＳ５に戻る。印刷制御部１６は、戻ったステップＳ５において印刷枚数に達しているか否かを判断する。印刷制御部１６は、印刷枚数に達していないと判断すると印刷出力部１５に第１の印刷画像の印刷を指示し、印刷出力部１５はステップＳ６で第１の印刷画像を印刷する。印刷出力部１５は、裁断カウンタ１９の値が裁断枚数に達するまでステップＳ６を繰り返し実行し、第１の印刷画像を複数枚の用紙に印刷する。
【００２６】
印刷制御部１６は、ステップＳ８でカウント値が裁断枚数に達したと判断すると、印刷出力部１５に第２の印刷画像の印刷を指示する。印刷出力部１５は、第２の印刷画像を用紙に１枚印刷する（ステップＳ９）。このとき、印刷制御部１６は、第２の印刷画像が第１の印刷画像を含む場合、例えば第２の印刷画像が第１の印刷画像に切取り線を付加したものである場合は、第２の印刷画像の印刷に伴い印刷カウンタ１８をカウントアップする。一方、第２の印刷画像が第１の印刷画像を含まないときは印刷カウンタ１８をカウントアップしない。
【００２７】
なお、印刷制御部１６は、印刷出力部１５が第２の印刷画像を用紙に印刷することで印刷された用紙の枚数が裁断枚数に一致するときに、ステップＳ８で裁断枚数に到達したと判断してもよい。例えば裁断枚数が１０枚のとき、第１の印刷画像を９枚印刷した後に印刷枚数が裁断枚数に達したと判断し、第２の印刷画像を１枚印刷してもよい。
【００２８】
印刷制御部１６は、第２の印刷画像が印刷されると裁断カウンタ１９を０にリセットする（ステップＳ１０）。印刷制御部１６は、裁断カウンタ１９のリセット後、ステップＳ５に戻って印刷カウンタ１８のカウント値が印刷枚数に達したか否かを判断する。印刷制御部１６は、戻ったステップＳ５においてカウント値が印刷枚数に達していないと判断すると、印刷出力部１５に第１の印刷画像の印刷を指示する。印刷出力部１５はステップＳ６で第１の印刷画像を用紙に印刷する。印刷制御部１６は、ステップＳ５で印刷枚数に到達したと判断すると、処理を終了する。その際、例えば裁断カウンタ１９が裁断枚数に到達する前に印刷終了となるような場合には、最終ページに切取り線を印刷してもよい。あるいは印刷終了後に、切取り線のみを印刷した用紙を出力するようにしてもよい。印刷終了後、切取り線に従って用紙を裁断することにより、元原稿用紙サイズに元原稿画像が印刷された状態の印刷物が得られる。
【００２９】
図３は、元原稿画像の具体例を示している。用紙３１のサイズ（元原稿用紙サイズ）は例えばＡ４であるとする。最終的に、元原稿用紙サイズの用紙３１に元原稿画像３２が１つ印刷された印刷物を得たいとする。図４（ａ）及び（ｂ）は、それぞれ第１及び第２の印刷画像の具体例を示している。用紙４１のサイズ（出力用紙サイズ）は例えばＡ３であるとする。第１の印刷画像４２は、図４（ａ）に示すように、図３の元原稿画像３２を２つ並べた画像である。第２の印刷画像４３は、図４（ｂ）に示すように、第１の印刷画像４２に切取り線４４を付加した画像である。
【００３０】
図５は、印刷出力部１５の具体的構成を示す。ここでは印刷方式として孔版印刷を利用することとする。印刷出力部１５は、製版部５１、第１の印刷ドラム５２、及び第２の印刷ドラム５３を含む。製版部５１は、１以上の元原稿画像を含む第１の印刷画像に対応した版（第１の版）５４を製版する。また、製版部５１は、切取り線部分の印刷画像に対応した版（第２の版）５５を製版する。第１の版５４は、第１の印刷ドラム５２にセットされる。また、第２の版５５は、第２の印刷ドラム５３にセットされる。
【００３１】
第１の印刷ドラム５２は、第１の印刷画像を印刷するための第１印刷部に相当する。第２の印刷ドラム５３は、切取りマークを印刷するための第２印刷部に相当する。印刷出力部１５は、第１の印刷画像の印刷時は、第１の印刷ドラム５２及び第２の印刷ドラム５３のうちの第１の印刷ドラム５２のみを用いて印刷を行う。第１の印刷ドラム５２が第１の版５４を用いて用紙に印刷を行うことで、用紙には、図４（ａ）に示す第１の印刷画像４２が印刷される。
【００３２】
一方、印刷出力部１５は、第２の印刷画像の印刷時は、少なくとも第２の印刷ドラム５３を用いて印刷を行う。第２の印刷ドラム５３が第２の版５５を用いて用紙に印刷を行うことで、用紙には少なくとも切取りマークが印刷される。第２の印刷画像の印刷時に、第１の印刷ドラム５２と第２の印刷ドラム５３との双方を用いた場合、第１の印刷ドラム５２が第１の版５４を用いて用紙に印刷を行うと共に、同じ用紙に、第２の印刷ドラム５３が第２の版５５を用いて印刷を行うことで、用紙には、図４（ｂ）に示す第２の印刷画像４３が印刷される。
【００３３】
図６は、印刷された用紙の並び順を示している。フェースアップで印刷された用紙の排出を行う場合、印刷制御部１６は、設定された裁断枚数に到達するまでは第１の印刷画像４２（図４（ａ））を用紙に印刷させる。印刷制御部１６は、印刷枚数が裁断枚数になると、第２の印刷画像４３（図４（ｂ））を用紙に１枚印刷させる。このような印刷を印刷枚数まで繰り返すことで、図６に示すように、裁断枚数おきに第２の印刷画像４３が配置された印刷用紙の束ができあがる。
【００３４】
ユーザは、印刷用紙を裁断機などで裁断する。その際、ユーザは印刷された用紙の束の中から裁断枚数分の用紙を取り出して裁断機にセットすることができる。その場合、取りだした裁断枚数分の用紙の一番上の用紙には、第２の印刷画像４３が印刷されているため、ユーザは裁断位置を容易に切取り線４４の位置に合わせることができる。ユーザが切取り線４４の位置で用紙を２つに裁断することで、図３に示す状態の印刷物を得ることができる。
【００３５】
本実施形態では、印刷制御部１６は、複数枚の第１の印刷画像の印刷に対して第２の印刷画像を１枚用紙に印刷させる。このようにすることで、印刷用紙を複数枚まとめて裁断する際に、切取りマークが印刷された用紙１枚と、切取りマークを含まない用紙とを重ねて裁断することができる。印刷用紙を裁断する際に、全ての用紙に切取りマークが印刷されていると、裁断位置が所期の位置からずれたときに用紙に切取りマークが残り、裁断された印刷物の見栄えが低下する。本実施形態では、裁断の際にいくつかの用紙において裁断位置が所期の裁断位置からずれたとしても用紙に切取りマークが残らずに済む。従って、全ての印刷用紙に切取りマークを印刷する場合に比して、裁断された印刷物の見栄えの低下を抑制することができる。
【００３６】
なお、上記実施形態では、印刷出力部１５で印刷された用紙が上向きに排出される例を用いて説明したが、これには限定されず、印刷出力部１５で印刷された用紙が下向きに排出されてもよい（フェースダウン）。その場合は、複数枚の第１の印刷画像を印刷した後に第２の印刷画像を印刷するのに代えて、第２の印刷画像を用紙に１枚印刷した後に、複数枚の第１の印刷画像の印刷することとしてもよい。例えば、裁断枚数が１０枚である場合、１枚目の用紙に第２の印刷画像を印刷し、その後９枚は第１の印刷画像を印刷し、裁断枚数になるたびに第２の印刷画像を印刷してもよい。裁断に際しては、印刷された用紙をひっくり返して裁断機などにセットすることで、一番上の用紙を第２の印刷画像が印刷された用紙とすることができる。
【００３７】
上記実施形態では、元原稿画像と切取りマークとが用紙の同じ面に印刷されることとして説明したが、これには限定されず、例えば切取りマークを元原稿画像が印刷された面とは反対側の面に印刷することもできる。また、印刷制御部１６が、排紙台に排出された用紙の上側の面に切取り線が印刷されるように印刷出力部１５を制御してもよい。例えば、印刷制御部１６は、第１の印刷画像が印刷された用紙が下向きに排出されるとき、裁断枚数ごとに、表面（下向きの面）に第１の印刷画像が印刷され、かつその裏面（上向きの面）に切取り線が印刷されるように印刷出力部１５を制御してもよい。排出された用紙の上側の面に切取り線を印刷する場合、裁断に際して用紙をひっくり返す必要がなくなる。
【００３８】
図７は、両面印刷の場合の印刷出力部の構成例を示している。印刷出力部１５ａは、図５に示す構成に加えて、スイッチバック部７１を有する。スイッチバック部７１は、第１の印刷ドラム５２と第２の印刷ドラム５３との間に設けられ、用紙をスイッチバックさせる。第１の印刷画像印刷時は、第１の印刷ドラム５２を用いて用紙の片面に第１の印刷画像を印刷し、スイッチバック部７１を通さずに出力すればよい。第２の印刷画像印刷時は、第１の印刷ドラム５２を用いて第１の印刷画像を印刷した用紙をスイッチバック部７１に入れ、スイッチバック部７１で用紙の表裏を反転させて第２の印刷ドラム５３に供給する。その後、第２の印刷ドラム５３を用いて用紙の裏面に切取りマークを印刷することができる。
【００３９】
上記実施形態では、図５を参照して印刷ドラムを２つ有する場合の構成について説明したが、印刷出力部１５が孔版印刷方式で印刷する場合において、印刷ドラムは必ずしも２つ必要とは限らない。例えば印刷出力部１５が有する印刷ドラムを１つとし、その印刷ドラム（共通ドラム）に、第１の版５４に相当する版部分と、第２の版５５に相当する版部分とを有する１つの版をセットしてもよい。
【００４０】
図８は、印刷ドラムが１つの場合の印刷出力部の構成例を示している。印刷出力部１５ｂは、第１印刷部及び第２印刷部に共通の共通ドラム８１を有する。共通ドラム８１には、例えば用紙２枚分の大きさの版８３がセットされる。版８３は、第１の印刷画像を印刷するための第１の版部分８４と、切取りマークを印刷するための第２の版部分８５とを有する。第１の版部分８４は第１の版５４（図５）に対応しており、第２の版部分８５は第２の版５５に対応している。
【００４１】
第１の印刷画像印刷時は、共通ドラム８１の第１の版部分８４を用いて用紙に第１の印刷画像を印刷し、スイッチバック部８２を通さずに出力すればよい。第２の印刷画像印刷時は、共通ドラム８１の第１の版部分８４を用いて第１の印刷画像を印刷した用紙をスイッチバック部８２に入れ、スイッチバック部７１で用紙の表裏を反転させる。その後、共通ドラム８１の第２の版部分８５を用いて用紙の裏面に切取りマークを印刷することができる。この構成においては、第２の版部分８５で用紙に切取りマークを印刷しながら、次の用紙に第１の版部分８４で用紙に第１の印刷画像を印刷することも可能である。なお、両面印刷を行わない場合は、スイッチバック部８２は省いてもよい。
【００４２】
上記実施形態では、裁断枚数設定部１４を設け、裁断枚数ごとに第２の印刷画像を印刷することとしたが、第２の印刷画像の印刷は所定枚数ごとでなくてもよい。例えば印刷部数を３０枚、４０枚、３５枚などと連続的に設定した場合に、印刷部数ごとに第２の印刷画像を印刷してもよい。具体的には、３０枚の用紙のうちの１枚に切取りマークを付加して印刷し、４０枚の用紙のうちの１枚に切取りマークを付加して印刷し、３５枚の用紙のうちの１枚に切取りマークを付加して印刷してもよい。
【００４３】
印刷出力部１５において、印刷用紙１枚に元原稿画像を複数印刷するとき、同じ印刷用紙に印刷される複数の元原稿画像は同じ画像である必要はない。例えば、１枚の用紙に複数枚分の用紙を縮小して印刷するＮアップ機能を用いて、２ページ分のデータを、１つの印刷用紙に印刷してもよい。例えば、印刷ページが元原稿サイズで１００ページ分あるときに、印刷出力部１５が、計５０枚の印刷用紙のそれぞれに２ページ分ずつ印刷データを印刷してもよい。その場合、印刷制御部１６は、複数枚の用紙のうちの一部に切取りマークが印刷されるように印刷出力部１５を制御すればよい。
【００４４】
画像形成装置は、印刷装置と一体化している必要はなく、ＰＣ上で動作するソフトウェアとして構成することもできる。その場合、画像形成装置（プログラム）は、印刷装置が第１の印刷画像と第２の印刷画像との双方を印刷するように印刷装置に対して印刷データを出力すればよい。あるいはプログラムは、印刷装置に対して制御コマンドなどを送信し、印刷装置を直接制御してもよい。
【００４５】
以上、本発明をその好適な実施形態に基づいて説明したが、本発明の画像形成装置は、上記実施形態にのみ限定されるものではなく、上記実施形態の構成から種々の修正及び変更を施したものも、本発明の範囲に含まれる。
【符号の説明】
【００４６】
１０：画像形成装置
１１：データ入力部
１２：切取りマーク設定部
１３：印刷枚数設定部
１４：裁断枚数設定部
１５：印刷出力部
１６：印刷制御部
１７：印刷設定部
１８：印刷カウンタ
１９：裁断カウンタ
３１：用紙（元原稿用紙）
３２：元原稿画像
４１：用紙（出力用紙）
４２、４３：印刷画像
４４：切取り線
５１：製版部
５２、５３、８１：印刷ドラム
５４、５５、８３：版
７１、８２：スイッチバック部
【図１】
2012020484.tif 000003
【図２】
2012020484.tif 000004
【図３】
2012020484.tif 000005
【図４】
2012020484.tif 000006
【図５】
2012020484.tif 000007
【図６】
2012020484.tif 000008
【図７】
2012020484.tif 000009
【図８】
2012020484.tif 000010